(57)【要約】      （修正有）【課題】像の収差の矯正手段を有する検眼鏡を提供する。【解決手段】眼の網膜を走査するための走査レーザ検眼鏡であって、ビーム光を放射する光源と、走査リレー要素とを具えており、光源及び走査リレー要素が、眼の瞳孔点における見掛けの点光源から眼の網膜までのビーム光の２次元走査と、少なくともいくつかの走査リレー要素及び少なくともいくつかの走査リレー要素の収差の矯正を与えるよう選択される検眼鏡中の位置の収差の矯正を与えるよう規定される形状を有する静的収差矯正要素とを提供し、その位置が、眼の瞳孔点における見掛けの点光源から眼の網膜までのビーム光の伝達を維持する。【選択図】図２
2014217756.tif 000002
【特許請求の範囲】
【請求項１】
眼の網膜を走査するための走査レーザ検眼鏡であって、
ビーム光を照射する光源と、
複数の走査リレー要素と、
前記走査リレー要素の少なくともいくつかの収差の矯正を与えるよう規定される形状、及び前記走査リレー要素の少なくともいくつかの収差の矯正を与えるよう選択される前記検眼鏡の中の位置を有する静的収差矯正要素と、
を具えており、
前記光源及び前記走査リレー要素が、眼の瞳孔点における見かけの点光源から眼の網膜まで伝えられるビーム光の２次元走査を与え、
前記位置が、前記眼の瞳孔点における前記見かけの点光源から前記眼の網膜までのビーム光の伝達を維持することを特徴とする走査レーザ検眼鏡。
【請求項２】
前記静的収差矯正要素の形状が、当該要素の長軸及び短軸に沿って空間的に変動する深さを有するよう規定されることを特徴とする請求項１に記載の走査レーザ検眼鏡。
【請求項３】
前記静的収差矯正要素の深さが、少なくとも１の所定の数学関数によって規定されることを特徴とする請求項２に記載の走査レーザ検眼鏡。
【請求項４】
前記所定の数学関数が、少なくとも１の多項式関数を具えることを特徴とする請求項３に記載の走査レーザ検眼鏡。
【請求項５】
前記所定の数学関数が、Ｎを級数の多項式係数の番号とし、ａｉを多項式の項ｐｉのｉ番目の係数とすると、式
2014217756.tif 000005
を具えており、
当該多項式は、ｘ及びｙのべき級数であり、初項から順にｘ、ｙ、ｘ＊ｘ、ｘ＊ｙ、ｙ＊ｙ等のように続くことを特徴とする請求項４に記載の走査レーザ検眼鏡。
【請求項６】
前記静的収差矯正要素の前記検眼鏡の中の位置が、前記静的収差矯正要素の長軸が前記走査リレー要素の走査補償要素の長軸と略平行となるように、選択されることを特徴とする請求項１乃至５のいずれか１項に記載の走査レーザ検眼鏡。
【請求項７】
前記静的収差矯正要素の位置が、前記走査リレー要素の前記走査補償要素と第１の走査要素との間にあることを特徴とする請求項１乃至６のいずれか１項に記載の走査レーザ検眼鏡。
【請求項８】
前記静的収差矯正要素が、前記第１の走査要素に設けられた窓に取り付けられ、又は当該窓の代わりに設けられていることを特徴とする請求項７に記載の走査レーザ検眼鏡。
【請求項９】
前記静的収差矯正要素が、ビーム光の位相を変更して、少なくともいくつかの前記走査リレー要素の収差の矯正を与えることを特徴とする請求項１乃至８のいずれか１項に記載の走査レーザ検眼鏡。
【請求項１０】
前記静的収差矯正要素が、当該要素の１又はそれ以上の位相特性をビーム光の位相に課して、収差の矯正を与えることを特徴とする請求項９に記載の走査レーザ検眼鏡。
【請求項１１】
前記静的収差矯正要素が、当該要素の長軸及び短軸に沿って空間的に変動する当該要素の深さに必然的な１又はそれ以上の位相特性を課して、収差の矯正を与えることを特徴とする請求項１０に記載の走査レーザ検眼鏡。
【請求項１２】
前記静的収差矯正要素が、ビーム光の屈折によってビーム光の位相を変更する透過位相マスクを具えることを特徴とする請求項９乃至１１のいずれか１項に記載の走査レーザ検眼鏡。
【請求項１３】
前記静的収差矯正要素が、少なくともいくつかの前記走査リレー要素の収差の矯正及び眼の収差の矯正を与えるよう規定される形状を有することを特徴とする請求項１乃至１２のいずれか１項に記載の走査レーザ検眼鏡。
【請求項１４】
請求項１乃至１３のいずれか１項に記載された検眼鏡で使用するための収差矯正要素。
【請求項１５】
請求項１乃至１３のいずれか１項に記載された検眼鏡で使用される収差矯正要素の形状を規定する方法であって、
（ｉ）前記検眼鏡を具えるシステムの光学的記述を構成するステップと、
（ｉｉ）前記システムを通して複数のビーム光を通過させるステップと、
（ｉｉｉ）前記システムを通したビーム光の経路を判定するステップと、
（ｉｖ）前記ビーム光の経路を用いて、角度の関数として、前記検眼鏡の少なくともいくつかの前記走査リレー要素の収差を測定するステップと、
（ｖ）収差の測定値を用いて、前記収差矯正要素の形状を規定する数学関数を判定するステップと、
を具えることを特徴とする方法。
【発明の詳細な説明】
【技術分野】
【０００１】
本発明は、検眼鏡の改良に関し、特に、検眼鏡システムによって導入される像の収差の矯正に関する。
【背景技術】
【０００２】
検眼鏡は、一般に、光線源から対象者の網膜の一部に光線を向け、検眼鏡の対物面と一致し、対象者の網膜の一部から反射した光線を検出器で集めるためのシステムを具える。多くの光学要素及び走査要素、集合的に走査リレー要素が、光線を向け且つ集めるのに一般的に使用され、集められた光線を使用して、対象者の網膜の一部の像を形成する。走査リレー要素の光学的特性により、特に広視野走査リレー要素と結び付く場合に、検眼鏡システムの中に収差が存在する。この結果として、網膜空間情報が失われ、あるいは理論的に可能なものよりも低忠実度の形式で記録される可能性がある。特に、検眼鏡によって導入される像の周囲の部分で「ぼやけ」及び減光が見られ、望むものよりも低品質の像をもたらす。
【発明の概要】
【０００３】
本発明の第１の態様によれば、眼の網膜を走査するための走査レーザ検眼鏡が提供されており、この検眼鏡は、ビーム光を照射する光源と、複数の走査リレー要素と、走査リレー要素の少なくともいくつかの収差の矯正を与えるよう規定される形状、及び走査リレー要素の少なくともいくつかの収差の矯正を与えるよう選択される検眼鏡の中の位置を有する静的収差矯正要素と、を具えており、光源及び走査リレー要素が、眼の瞳孔点における見かけの点光源から眼の網膜まで伝えられるビーム光の２次元走査を与え、前記位置が、眼の瞳孔点における見かけの点光源から眼の網膜までのビーム光の伝達を維持する。
【０００４】
静的収差矯正要素の形状が、当該要素の長軸及び短軸に沿って空間的に変動する深さを有するよう規定される。長軸及び短軸に沿った静的収差矯正要素の深さが、少なくとも１の所定の数学関数によって規定される。所定の数学関数が、少なくとも１の多項式関数を具える。所定の数学関数が、多項式関数の組み合わせを具える。所定の数学関数が、Ｎを級数の多項式係数の番号とし、ａｉを多項式の項ｐｉのｉ番目の係数とすると、式
2014217756.tif 000003
を具えている。当該多項式は、ｘ及びｙのべき級数である。初項から順にｘ、ｙ、ｘ＊ｘ、ｘ＊ｙ、ｙ＊ｙ等のように続く。
【０００５】
静的収差矯正要素は、この要素の長軸に沿って数ミクロンから数百ミクロンまで変動する深さを有する。静的収差矯正要素は、当該要素の長軸に沿って例えば１３０ミクロンといった数ミクロンから数百ミクロンまで変動する最大垂下量を有する。静的収差矯正要素は、当該要素の短軸に沿って例えば５０ミクロンといった数ミクロンから数十ミクロンまで変動する最大垂下量を有する。静的収差矯正要素は、例えば１．５ｍｍといったミリメートルオーダーの幅を有する。静的収差矯正要素は、例えば１２ｍｍといったミリメートルオーダーの長さを有する。
【０００６】
静的収差矯正要素の検眼鏡の中の位置が、静的収差矯正要素の長軸が走査リレー要素の走査補償要素の長軸と略平行となるように、選択される。静的収差矯正要素の位置が、走査リレー要素の走査補償要素と第１の走査要素との間にある。
【０００７】
静的収差矯正要素の位置が、第１の走査要素に近接してある。静的収差矯正要素の位置が、第１の走査要素に隣接してある。静的収差矯正要素を、第１の走査要素に取り付けてもよい。静的収差矯正要素を、第１の走査要素に設けられた窓に取り付け、又は当該窓の代わりに設けてもよい。
【０００８】
静的収差矯正要素のこのような位置決めは、多くの効果を有する。静的収差矯正要素の位置は、眼の瞳孔点における見掛けの点光源から眼の網膜までビーム光の伝達を保持する。静的収差矯正要素は、第１の走査要素によって生成されるビーム光の走査が空間的に解像される面に位置する。静的収差矯正要素を第１の走査要素の窓に取り付けることで、あるいは、第１の走査要素の窓を静的収差矯正要素に代えることで、後方散乱の原因となり又は検眼鏡に光学的損失を与えてしまう、検眼鏡への付加的な光学面の導入を防止する。特に広視野検眼鏡において、少なくとも第１の走査要素に近接させた静的収差矯正要素の位置決めは、矯正要素によって受信されるビーム光の走査の空間的範囲を減し、これにより、必要とする矯正要素の空間次元を減らす。
【０００９】
静的収差矯正要素がビーム光の位相を変更して、少なくともいくつかの走査リレー要素の収差の矯正を与える。静的収差矯正要素が当該要素の１又はそれ以上の位相特性をビーム光の位相に課して、収差の矯正を与える。静的収差矯正要素が、当該要素の長軸及び短軸に沿って空間的に変動する当該要素の深さに必然的な１又はそれ以上の位相特性を課す。
【００１０】
静的収差矯正要素が、ビーム光の屈折によってビーム光の位相を変更する透過位相マスクを具える。透過位相マスクが、電磁スペクトルの可視光部から近赤外線部まで延在する分光透過を具える光学ガラスを具える。
【００１１】
静的収差矯正要素及び走査リレー要素は、眼の瞳孔点における見掛けの点光源においてほぼ平行になり収差の無いビーム光を与える。眼はビーム光の焦点を合わせて、眼の網膜のほぼ総ての走査ポイントにおいて集束ビームスポットを与える。これは、例えば２０ミクロン以下といった約数ミクロン又は数十ミクロンの直径を有する。静的収差矯正要素及び走査リレー要素は、網膜における構成された照射の複数のスポットにビーム光を集束させ（焦点を合わせ）、検眼鏡の像の網膜の空間的情報をエンコードする。
【００１２】
本発明の走査レーザ検眼鏡は、少なくともいくつかの走査リレー要素の矯正を補償する一方、眼の瞳孔点における見掛けの点光源から眼の網膜へのビーム光の伝達を保持するための手段を提供する。これにより、眼の瞳孔点における見掛けの点光源において、ほぼ平行且つ収差の無いビーム光の提供が可能となり、眼の網膜のほぼ総ての走査ポイントにおいてビーム光のスポットに集束され、これにより、検眼鏡の網膜像のほぼ総ての部分において、所望の空間情報を保持する。走査レーザ検眼鏡は、広視野又は超広視野検眼鏡を具え得る。
【００１３】
本発明の走査レーザ検眼鏡は、さらに、眼の収差を補償する手段を提供する。収差矯正要素は、少なくともいくつかの走査リレー要素の収差の矯正及び眼の収差の矯正を提供するよう規定される形状を有する。静的収差矯正要素の形状は、この要素の長軸及び短軸に沿って空間的に変動する深さを有するよう規定され、少なくともいくつかの走査リレー要素及び眼の収差の矯正を与える。眼は、実際の眼に関して規定される正常眼である。
【００１４】
本発明の第２の態様によれば、本発明の第１の態様の検眼鏡で使用するための収差矯正要素が提供される。
【００１５】
本発明の第３の態様によれば、本発明の第１の態様の検眼鏡で使用される収差矯正要素の形状を規定する方法が提供され、この方法は、
（ｉ）前記検眼鏡を具えるシステムの光学的記述を構成するステップと、
（ｉｉ）前記システムを通して複数の光線を通過させるステップと、
（ｉｉｉ）前記システムを通した光線の経路を判定するステップと、
（ｉｖ）前記光線の経路を用いて、角度の関数として、前記検眼鏡の少なくともいくつかの前記走査リレー要素の収差を測定するステップと、
（ｖ）収差の測定値を用いて、前記収差矯正要素の形状を規定する数学関数を判定するステップと、を具える。
【００１６】
規定される収差矯正要素の形状は、長軸及び短軸に沿って空間的に変動するこの要素の深さを具える。
【００１７】
この方法は、さらに、眼の矯正の補償を提供する。この方法は、
（ｉ）前記検眼鏡を具えるシステム及び正常眼の光学的記述を構成するステップと、
（ｉｉ）前記システムを通して複数の光線を通過させ、前記正常眼の表面に複数の角度を作用させるステップと、
（ｉｉｉ）前記システムを通した光線の経路を判定するステップと、
（ｉｖ）前記光線の経路を用いて、角度の関数として、前記検眼鏡の少なくともいくつかの前記走査リレー要素及び前記正常眼の収差を測定するステップと、
（ｖ）収差の測定値を用いて、前記収差矯正要素の形状を規定する数学関数を判定するステップと、を具える。
【図面の簡単な説明】
【００１８】
ここで、添付図面を参照し、単に例として本発明の実施例を説明する。
【図１】図１は、本発明の第１の態様に係る検眼鏡の概略図である。
【図２】図２は、図１の検眼鏡とともに使用するための本発明の第２の態様に係る収差矯正要素の概略図である。
【図３】図３は、走査要素に取り付けられた図２の収差矯正要素の概略図である。
【図４】図４は、本発明の第３の態様の方法を示すフローチャートである。
【発明を実施するための形態】
【００１９】
図１を参照すると、検眼鏡１０は、ビーム光１３を放射する光源１２と、第１の走査要素１４、第２の走査要素１６、走査補償手段１８及び走査伝達手段２０を具える走査リレー要素とを具える。第１の走査要素１４は回転式ポリゴンミラーを具えており、第２の走査要素１６は振動平面ミラーを具える。走査補償手段１８は楕円ミラーを具えており、走査伝達手段２０は非球面ミラーを具える。検眼鏡１０は、さらに、収差矯正要素（図示せず）を具える。
【００２０】
光源１２は、入射ビーム光１３を第１の走査要素１４に向ける。これにより、第１の垂直な方向に、（光線Ａ、Ｂ及びＣで示す）ビームのスキャンを生成する。この入射ビームは走査補償手段１８に作用し、そこから第２の走査要素１６に反射する。これにより、第２の水平な方向に、入射ビームのスキャンを生成する。そして、この入射ビームは２つの焦点を有する走査伝達手段２０に作用し、第２の走査要素１６が第１の焦点に設けられ、対象者の眼２２が第２の焦点に設けられる。走査移動手段２０に作用する第２の走査要素１６からの入射ビームは眼２２に向けられ、眼の瞳孔を通過して、眼の網膜の一部に作用する。検眼鏡１０の光源１２及び走査リレー要素は、眼の瞳孔点における見掛けの点光源からの入射ビーム光１３の２次元の走査を与えるよう結合し、見掛けの点光源からの入射ビーム光の２次元走査を眼の網膜に伝える。入射ビーム光が網膜にわたって走査されると、網膜から反射して検眼鏡１０の構成要素を通って戻るように伝えられ、１又はそれ以上の検出器（図示せず）によって受信される、反射ビーム光を生成する。対象者の眼２２の網膜の部分の像を受け取るために、光源１２からの入射ビーム光が、互いに垂直に動作する第１及び第２の走査要素１４、１６によって生成されるラスター走査パターンで、網膜部にわたって走査され、反射ビーム光が１又はそれ以上の検出器によって受信される。検出器からの測定値の時系列を用いて、網膜のデジタル画像を形成する。
【００２１】
検眼鏡１０の走査リレー要素の少なくともいくつかが、検眼鏡１０によって取得される像の中に収差を導入してしまう。たとえば収差は、走査補償要素１８及び走査伝達要素２０によって入射ビーム光１３の中に導入される。この収差は主に一次の焦点収差であり、ビーム光の角度にしたがって変動する。検眼鏡１０を通ってそれが通過する際に、入射ビーム光１３は、検眼鏡の中に設けられた収差矯正要素とも相互作用する。これは、検眼鏡の中に成形され且つ設けられており、走査リレー要素、特に走査補償要素１８及び走査伝達要素２０の少なくともいくつかの収差の矯正を与える一方、眼の瞳孔点における見掛けの点光源から眼２２の網膜へのビーム光１３の伝達を維持する。
【００２２】
図２は、図１の検眼鏡での使用のための静的収差矯正要素を示す。静的収差矯正要素は、透過位相マスク３０を具える。この透過位相マスク３０は、その長さ方向（ｙ方向）に沿った長軸及び幅方向（ｘ方向）に沿った短軸を有する略矩形の形状である。透過位相マスク３０の形状は、当該マスクの長軸及び短軸に沿って空間的に変動する深さを有するよう規定される。透過位相マスク３０の深さは、下式で示される少なくとも１の所定の数学関数によって規定される。
2014217756.tif 000004
ここで、Ｎが級数の多項式係数の番号であり、ａｉは多項式の項ｐｉのｉ番目の係数である。当該多項式は、ｘ及びｙのべき級数であり、初項から順にｘ、ｙ、ｘ＊ｘ、ｘ＊ｙ、ｙ＊ｙ等のように続く。本実施例では、Ｎ＝２０であり、係数（Ｒ＝１００ｍｍの規格化半径で割ったものであるため、無次元である）については、ａ１＝０、ａ２＝１．５１５、ａ３＝９．９８１、ａ４＝０、ａ５＝１５．４８６、ａ６＝０、ａ７＝−２３４２．８３０、ａ８＝０、ａ９＝−６３５．７６６、ａ１０＝１０２６１６３．８２８、ａ１１＝０、ａ１２＝−３０２７９．４９２、ａ１３＝０、ａ１４＝−５６９５．２４３、ａ１５＝０、ａ１６＝２３９２９０９３．５８３、ａ１７＝０、ａ１８＝−１４５０４４．１０６、ａ１９＝０、ａ２０＝−１４５６４．７６０２５２４９である。
【００２３】
本実施例では、透過位相マスク３０の深さがマスクの長軸又は長さに沿って変動し、マスクの最大垂下量（山から谷への深さ）は、約１１０ミクロンである。透過位相マスク３０は、約１．５ｍｍの幅及び約１２ｍｍの長さを有する。透過位相マスク３０は、電磁スペクトルの可視光部から近赤外線部まで広がる、ある分光透過率を具える光学ガラスを具える。
【００２４】
図３を参照すると、検眼鏡の中における透過位相マスク３０の位置が、検眼鏡の走査補償要素１８と第１の走査要素１４の間の第１の走査要素１４に近接する位置にある。透過位相マスク３０は、第１の走査要素１４の窓３２に取り付けられており、マスク３０の長軸が、検眼鏡の走査リレー要素の走査補償要素１８の長軸と平行である。
【００２５】
第１の走査要素１４は回転式ポリゴンミラーである。入射ビーム光１３が窓３２を通過し、ポリゴンミラーで反射して、透過位相マスク３０を通過し対象者の眼に至る。回転式ポリゴンミラー１４は様々な角度で入射ビーム光１３を反射させ、図１の光線Ａ、Ｂ及びＣで示される第１の鉛直な方向に沿った入射ビーム光１３の走査を与える。ポリゴンミラー１４の窓３２における透過位相マスク３０の位置は、入射ビーム光１３が透過位相マスク３０を通して走査されるような位置になっている。
【００２６】
透過位相マスク３０は、マスクの長軸及び短軸に沿った変動する深さを有しており、これにより、マスクの長軸及び短軸に沿った空間的に変動する深さ及び屈折を含む対応する空間的に変動する光学的特性を与える。入射ビーム光１３が透過位相マスク３０を通して走査されると、マスクが屈折によってビーム光の位相を変える。マスクの深さに必然的なマスクの位相特性が、ビーム光の位相に課せられる。マスクの深さがマスクの長軸及び短軸に沿って変動すると、入射ビーム光の位相変化がビーム光の２つの直交軸を通して変わる。入射ビーム光の走査によるこの位相変化が、ビーム光が検眼鏡１０の残りの部分を通過する際にビーム光の走査が受ける、少なくともいくつかの変化する収差を扱うのに必要である。ビーム光１３の走査が出会う検眼鏡１０の次の走査リレー要素は、走査補償要素１８である。この要素の収差は、その長軸及び短軸に沿って変わる。透過位相マスク３０の変化する深さを規定し、マスク３０の長軸を走査補償要素１８の長軸と略平行に配置することによって、マスク３０が、走査補償要素１８の変化する収差に対する矯正を与え得る。また、ビーム光１３の走査は、検眼鏡１０の走査リレー要素の走査伝達要素２０に出会う。また、走査伝達要素２０の収差は、その長軸及び短軸に沿って変わる。また、透過位相マスク３０の変化する深さをマスクの２つの直交する軸に沿って規定することによって、マスク３０が、走査伝達要素２０の変化する収差に対する矯正を与え得る。
【００２７】
さらに、透過位相マスク３０の位置が、ビーム光１３の走査の方向の偏差の原因とはならない。これにより、眼の瞳孔点における見掛けの点光源から眼の網膜までのビーム光１３の伝達が維持される。
【００２８】
透過位相マスク３０の形状は、ビーム光１３の走査の位相を変え、検眼鏡を通って伝播した後は、眼の瞳孔点における見掛けの点光源において、ほぼ平行になり収差の無いビーム光を具え、眼２２の中に伝達され、対象者の眼２２の網膜と一致する検眼鏡１０の対物面の視野のほぼ総ての走査ポイントについて、鋭い点（約２０ミクロン以下）に向けて眼によって集束される。現状の検眼鏡の像において「ぼやけ」や減光の原因となる収差が減少且つ防止され、これにより、本発明の検眼鏡の網膜像のほぼ総ての部分において、所望の空間的情報を保持する。
【００２９】
図４を参照すると、検眼鏡１０で使用するための収差矯正要素の深さを判定する方法が記載されている。検眼鏡を具えるシステムの光学的記述が、最初に構築される（ステップ５０）。そして、複数の光線がシステムを通過する（ステップ５２）。複数の角度は、光線が、ほぼ全面的な且つ一様なポイントにわたって眼のモデルの表面に作用するようにする必要がある。そして、システムを通る光線の経路が判定され（ステップ５４）、光線の経路を使用して、角度の関数として、検眼鏡の走査リレー要素の少なくともいくつかの収差を測定する（ステップ５６）。そして、収差の測定値を用いて、収差矯正要素の長軸及び短軸に沿って空間的に変動する深さを規定する数学関数を判定する（ステップ５８）。
【００３０】
上記の検眼鏡、収差矯正要素及び方法を用いて、眼の収差の矯正も与え得ることが明らかであろう。
【図１】
2014217756.tif 000006
【図２】
2014217756.tif 000007
【図３】
2014217756.tif 000008
【図４】
2014217756.tif 000009
【外国語明細書】
2014217756000001.pdf